(57)【特許請求の範囲】
【請求項１】
電力の供給を受けて動作する被動作部、並びに当該被動作部を制御する主制御部の電力供給源であり、商用電力を主供給源とする第１の電源部と、
前記第１の電源部とは別に設けられ、必要最小限の電力を供給して省電力状態とする電力供給源である第２の電源部と、
前記第１の電源部又は第２の電源部の何れかの電力供給源に、選択的に切り替える切替手段と、
前記被動作部及び主制御部の動作を必要とする外部要求信号を受け付ける受付手段と、
前記受付手段で受け付けた外部要求信号が、前記切替手段による電力供給先の切り替えを指示するための切替要求信号か、或いは、前記被動作部及び主制御部に前記第１の電源部からの電力供給を指示するための復帰要求信号かを判別する判別手段と、
前記主制御部が、前記第２の電源部の供給を受けて省電力状態となっているときに、前記判別手段で前記切替要求信号と判別された場合に、前記切替手段を制御して電力供給源を第１の電源部に切り替えるように制御する切替制御手段と、
前記切替制御手段による電力供給源切替後、予め定められた期間内に前記受付手段で前記復帰要求信号を受け付けた場合に少なくとも前記主制御部の復帰動作を実行する復帰手段と、
を有する電力供給制御装置。
【請求項２】
前記予め定められた期間の起点が、切替制御手段の制御による第２の電源部から第１の電源部への切り替え後、当該第１の電源部から供給される電圧又は電流が予め定めた許容範囲内に収束する安定状態後である請求項１記載の電力供給制御装置。
【請求項３】
前記切替制御手段が、前記第１の電源部への電力供給源の切り替え後、前記予め定められた期間を過ぎても前記受付手段が前記復帰要求信号を受け付けなかった場合に、電力供給源を第２の電源部に戻す請求項１又は請求項２記載の電力供給制御装置。
【請求項４】
前記受付手段、前記判別手段、前記切替制御手段、及び前記復帰手段が、主制御部の一部として機能する判別制御部を構成し、
前記第２の電源部から電力を受ける省電力状態では、前記判別制御部以外の前記主制御部への電力供給が遮断される請求項１〜請求項３の何れか１項記載の電力供給制御装置。
【請求項５】
前記請求項１〜請求項４の何れか１項記載の電力供給制御装置を備え、
前記被動作部が、使用者の指示を受け付ける操作部と動作状況を報知する表示部を備えた操作兼表示部、原稿画像から画像を読み取る画像読取部、画像情報に基づいて記録用紙に画像を形成する画像形成部、予め相互に定められた通信手順の下で画像を送信先へ送信するファクシミリ通信制御部の少なくとも１つを含んでおり、
前記主制御部が、前記画像読取部、前記画像形成部、前記ファクシミリ通信制御部を一括制御すると共に、前記操作兼表示部の操作又は外部要求信号の受け付けによる使用者からの指示に対して、相互に連携しあって画像処理機能を実行する画像処理装置。
【請求項６】
コンピュータを、前記請求項４記載の判別制御部として実行させる電力供給制御プログラム。
【請求項７】
前記請求項５記載の画像処理装置に対して、通信回線網を通じて、画像処理の実行要求を行う制御装置に搭載され、当該制御装置よって動作する画像処理制御用ドライバであって、
画像処理の実行要求後かつ前記画像処理するための画像情報を送信する前に前記切替要求信号を送信するプログラム、或いは、前記画像処理装置を選択する選択画面で選択されたときに制御装置から電力供給制御装置へ前記切替要求信号を送信するプログラムが構築された画像処理制御用ドライバ。
【発明の詳細な説明】
【技術分野】
【０００１】
本発明は、電力供給制御装置、画像処理装置、画像処理制御用ドライバ、及び電力供給制御プログラムに関する。
【背景技術】
【０００２】
特許文献１には、省電力状態からの復帰時間の短縮を目的として、クライアントからのアプリケーションの印刷データ送信前に復帰信号を送信することが記載されている。この特許文献１では、復帰信号送信後に、必ず印刷データがくることを前提としている。
【先行技術文献】
【特許文献】
【０００３】
【特許文献１】特開２００９−０９３４３２号公報
【発明の概要】
【発明が解決しようとする課題】
【０００４】
本発明は、外部から受信する画像処理要求に対して、省電力状態から必要電力確保のための電力復帰と、画像処理を実行するためのシステム復帰とを個別に管理することができる電力供給制御装置、画像処理装置、電力供給制御プログラムを得ることが目的である。
【課題を解決するための手段】
【０００５】
請求項１に記載の発明は、電力の供給を受けて動作する被動作部、並びに当該被動作部を制御する主制御部の電力供給源であり、商用電力を主供給源とする第１の電源部と、前記第１の電源部とは別に設けられ、必要最小限の電力を供給して省電力状態とする電力供給源である第２の電源部と、前記第１の電源部又は第２の電源部の何れかの電力供給源に、選択的に切り替える切替手段と、前記被動作部及び主制御部の動作を必要とする外部要求信号を受け付ける受付手段と、前記受付手段で受け付けた外部要求信号が、前記切替手段による電力供給先の切り替えを指示するための切替要求信号か、或いは、前記被動作部及び主制御部に前記第１の電源部からの電力供給を指示するための復帰要求信号かを判別する判別手段と、前記主制御部が、前記第２の電源部の供給を受けて省電力状態となっているときに、前記判別手段で前記切替要求信号と判別された場合に、前記切替手段を制御して電力供給源を第１の電源部に切り替えるように制御する切替制御手段と、前記切替制御手段による電力供給源切替後、予め定められた期間内に前記受付手段で前記復帰要求信号を受け付けた場合に少なくとも前記主制御部の復帰動作を実行する復帰手段と、を有している。
【０００６】
請求項２に記載の発明は、前記請求項１に記載の発明において、前記予め定められた期間の起点が、切替制御手段の制御による第２の電源部から第１の電源部への切り替え後、当該第１の電源部から供給される電圧又は電流が予め定めた許容範囲内に収束する安定状態後である。
【０００７】
請求項３に記載の発明は、前記請求項１又は請求項２に記載の発明において、前記切替制御手段が、前記第１の電源部への電力供給源の切り替え後、前記予め定められた期間を過ぎても前記受付手段が前記復帰要求信号を受け付けなかった場合に、電力供給源を第２の電源部に戻す。
【０００８】
請求項４に記載の発明は、前記請求項１〜請求項３の何れか１項記載の発明において、前記受付手段、前記判別手段、前記切替制御手段、及び前記復帰手段が、主制御部の一部として機能する判別制御部を構成し、前記第２の電源部から電力を受ける省電力状態では、前記判別制御部以外の前記主制御部への電力供給が遮断される。
【０００９】
請求項５に記載の発明は、前記請求項１〜請求項４の何れか１項記載の電力供給制御装置を備え、前記被動作部が、使用者の指示を受け付ける操作部と動作状況を報知する表示部を備えた操作兼表示部、原稿画像から画像を読み取る画像読取部、画像情報に基づいて記録用紙に画像を形成する画像形成部、予め相互に定められた通信手順の下で画像を送信先へ送信するファクシミリ通信制御部の少なくとも１つを含んでおり、前記主制御部が、前記画像読取部、前記画像形成部、前記ファクシミリ通信制御部を一括制御すると共に、前記操作兼表示部の操作又は外部要求信号の受け付けによる使用者からの指示に対して、相互に連携しあって画像処理機能を実行する画像処理装置である。
【００１０】
請求項６に記載の発明は、コンピュータを、前記請求項４記載の判別制御部として実行させる電力供給制御プログラムである。
【００１１】
請求項７に記載の発明は、前記請求項５記載の画像処理装置に対して、前記請求項５記載の画像処理装置に対して、通信回線網を通じて、画像処理の実行要求を行う制御装置に搭載され、当該制御装置よって動作する画像処理制御用ドライバであって、画像処理の実行要求後かつ前記画像処理するための画像情報を送信する前に前記切替要求信号を送信するプログラム、或いは、前記画像処理装置を選択する選択画面で選択されたときに制御装置から電力供給制御装置へ前記切替要求信号を送信するプログラムが構築された画像処理制御用ドライバである。
【発明の効果】
【００１２】
請求項１記載の発明によれば、外部から受信する画像処理要求に対して、省電力状態から必要電力確保のための電力復帰と、画像処理を実行するためのシステム復帰とを個別に管理することができる。
【００１３】
請求項２に記載の発明によれば、電源切替後、（電圧／電流）安定期間を設けることができる。
【００１４】
請求項３に記載の発明によれば、一定期間過ぎても復帰要求がないとき省エネ状態に戻すことができる。
【００１５】
請求項４に記載の発明によれば、主制御部とは別に、省エネ状態を第２の電源で動作することができる。
【００１６】
請求項５、請求項６，請求項７に記載の発明によれば、外部から受信する画像処理要求に対して、省電力状態から必要電力確保のための電力復帰と、画像処理を実行するためのシステム復帰とを個別に管理することができる。
【図面の簡単な説明】
【００１７】
【図１】本実施の形態に係る画像処理装置を含む通信回線網接続図である。
【図２】本実施の形態に係る画像処理装置の概略図である。
【図３】本実施の形態に係る画像処理装置の制御系の構成を示すブロック図である。
【図４】本実施の形態に係るメインコントローラと電源装置の制御系を機能別に概略図である。
【図５】画像処理装置における、各モード状態と、当該モード状態の移行の契機となる事象を示したタイミングチャートである。
【図６】本実施の形態に係り、画像処理装置及びその周辺示す平面図である。
【図７】本実施の形態に係り、ＰＣ側プリンタドライバによるジョブ要求指示作成制御のためのフローチャートである。
【図８】本実施の形態に係り、スリープモード時ジョブ実行要求監視制御ルーチンを示すフローチャートである。
【図９】図７の変形例に係り、ＰＣ側プリンタドライバによるジョブ要求指示作成制御のためのフローチャートである。
【発明を実施するための形態】
【００１８】
図１に示される如く、本実施の形態に係る画像処理装置１０は、インターネット等のネットワーク通信回線網２０に接続されている。図１では、２台の画像処理装置１０が接続されているが、この数は限定されるものではなく、１台でもよいし、３台以上であってもよい。
【００１９】
また、このネットワーク通信回線網２０には、情報端末機器としての複数のＰＣ（パーソナルコンピュータ）２１が接続されている。
【００２０】
図１（Ｂ）に示される如く、ＰＣ２１は、ＣＰＵ２１Ａ、ＲＡＭ２１Ｂ、ＲＯＭ２１Ｃ、Ｉ／Ｏ２１Ｄ及びこれらを相互に接続するデータバスやコントロールバス等のバス２１Ｅ  を備えている。
【００２１】
Ｉ／Ｏ２１Ｄには、キーボードやマウス等の入力装置２１Ｆと、モニタ２１Ｇが接続されている。また、Ｉ／Ｏ２１Ｄには、Ｉ／Ｆ２１Ｈを介して前記ネットワーク通信回線網２０に接続されている。
【００２２】
図１（Ａ）では、２台のＰＣ２１が接続されているが、この数は限定されるものではなく、１台でもよいし、３台以上であってもよい。また、情報端末機器としては、ＰＣ２１に限定されるものではなく、さらには有線接続である必要もない。すなわち、無線によって情報を送受信する通信回線網であってもよい。
【００２３】
図１に示される如く、画像処理装置１０では、ＰＣ２１から当該画像処理装置１０に対して、遠隔で、例えばデータを転送して画像形成（プリント）指示操作を行なう場合、或いは使用者（ユーザー）が画像処理装置１０の前に立ち、各種操作によって、例えば、複写（コピー）、スキャン（画像読取）、ファクシミリ送受信等の処理を指示する場合がある。
【００２４】
図２には、本実施の形態に係る画像処理装置１０が示されている。
【００２５】
画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部２４０又はファクシミリ通信制御回路２３６へ送出したりする。
【００２６】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００２７】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２８】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２９】
画像処理装置１０には、入力電源線２４４の先端にコンセント２４５が取り付けられており、壁面Ｗまで配線された商用電源２４２の配線プレート２４３に、当該コンセント２４５を差し込むことで、画像処理装置１０は、商用電源２４２から、電力の供給を受けるようになっている。
【００３０】
（画像処理装置の制御系ハード構成）
図３は、画像処理装置１０の制御系のハード構成の概略図である。
【００３１】
ネットワーク回線網２０は、メインコントローラ２００に接続されている。メインコントローラ２００には、それぞれ、データバスやコントロールバス等のバス３３Ａ〜３３Ｄを介して、ファクシミリ通信制御回路２３６、画像読取部２３８、画像形成部２４０、ＵＩタッチパネル２１６が接続されている。すなわち、このメインコントローラ２００が主体となって、画像処理装置１０の各処理部が制御されるようになっている。なお、ＵＩタイッチパネル２１６には、ＵＩタッチパネル用バックライト部（図４参照）が取り付けられている場合がある。
【００３２】
また、画像処理装置１０は、電源装置２０２を備えており、メインコントローラ２００とは信号ハーネス２０１で接続されている。
【００３３】
電源装置２０２は、商用電源からの供給を受けるとともに、スリープモード時の電力を、電源装置２４９（商用電源２４２から電力供給）又は蓄電部２４１の何れかから、電源選択部２４７を介して電力の供給を受けている。
【００３４】
電源選択部２４７は、２接点切替構造であり、第１接点端子２４７Ａに商用電源２４２が接続され、第２接点端子２４７Ｂに蓄電部２４１が接続され、コモン端子接点２４７Ｃが選択的に接続される。このため、電源装置２０２には、商用電源２４２又は蓄電部２４１の何れかから電力が供給されるようになっている。なお、この接点切替は、図示しないリレー機構によって実行される。
【００３５】
電源装置２０２では、メインコントローラ２００、ファクシミリ通信制御回路２３６、画像読取部２３８、画像形成部２４０、ＵＩタッチパネル２１６のそれぞれに対して独立して電力を供給する電力供給線３５Ａ〜３５Ｄが設けられている。このため、メインコントローラ２００では、各処理部（デバイス）に対して個別に電力供給（電力供給モード）、或いは電力供給遮断（スリープモード）し、所謂部分節電制御を可能としている。
【００３６】
電源装置２０２では、メインコントローラ２００、ファクシミリ通信制御回路２３６、画像読取部２３８、画像形成部２４０、ＵＩタッチパネル２１６のそれぞれに対して独立して電力を供給する電力供給線３５Ａ〜３５Ｄが設けられている。このため、メインコントローラ２００では、各処理部（デバイス）に対して個別に電力供給（電力供給モード）、或いは電力供給遮断（スリープモード）し、所謂部分節電制御を可能としている。
【００３７】
また、メインコントローラ２００には、２個の第１の人感センサ２８、第２の人感センサ３０が接続されており、画像処理装置１０の周囲の人の有無を監視している。この第１の人感センサ２８、第２の人感センサ３０については後述する。
【００３８】
（部分節電構成を主体とした機能ブロック図）
図４は、前記メインコントローラ２００によって制御される処理部（「デバイス」、「モジュール」等と称する場合もある）、並びにメインコントローラ２００、並びに各デバイスへ電源を供給するための電源装置２０２の電源ラインを主体とした概略構成図である。本実施の形態では、画像処理装置１０が処理部単位で電力供給又は非供給が可能でとなっている（部分節電）。
【００３９】
なお、処理部単位の部分節電は一例であり、処理部をいくつかのグループに分類しグループ単位で節電の制御を行ってもよいし、処理部を一括して節電の制御を行ってもよい。
【００４０】
［メインコントローラ２００］
図４に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６（バックライト部２１６ＢＬを含む）が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ、ＤＶＤ、ＢＤ（ブルーレイディスク）、ＵＳＢメモリ、ＳＤメモリ等）から該プログラムをインストールし、これに基づいてＣＰＵ２０４が動作することにより画像処理機能を実現してもよい。
【００４１】
Ｉ／Ｏ２１０には、タイマ回路２２０、通信回線Ｉ／Ｆ２２２が接続されている。さらに、Ｉ／Ｏ２１０には、ファクシミリ通信制御回路（モデム）２３６、画像読取部２３８、画像形成部２４０の各デバイスに接続されている。
【００４２】
なお、前記タイマ回路２２０は、前記ファクシミリ通信制御回路２３６、画像読取部２３８、画像形成部２４０を節電状態（電源非供給状態）とするための契機として、計時を行うものである（以下、「システムタイマ」という場合がある）。
【００４３】
メインコントローラ２００及び各デバイス（ファクシミリ通信制御回路２３６、画像読取部２３８、画像形成部２４０）は、電源装置２０２から電源が供給される（図４の点線参照）。なお、図４では、電源線を１本の線（点線）で示しているが、実際には２本〜３本の配線である。
【００４４】
［電源装置２０２］
図４に示される如く、電源選択部２４７Ｃから引き込まれた入力電源線２４４は、メインスイッチ２４６に接続されている。メインスイッチ２４６がオンされることで、第１の電源部２４８へ電力供給が可能となる。なお、第２の電源部２５０は、商用電源２４２から電力を受ける配線となっている。
【００４５】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通／非導通させるためのスイッチング制御を行う。
【００４６】
一方、商用電源２４２から第２の電源部２５０へ接続される電源線２５４には、第１のサブ電源スイッチ２５６（以下、「ＳＷ−１」という場合がある。）が介在されている。このＳＷ−１は、前記電源供給制御回路２５２で、オン・オフが制御されるようになっている。すなわち、このＳＷ−１がオフのときは第２の電源部２５０は機能しない（消費電力０状態）。
【００４７】
第２の電源部２５０は、２４Ｖ電源部２５０Ｈ（ＬＶＰＳ２）と５Ｖ電源部２５０Ｌ（ＬＶＰＳ１）を備えている。２４Ｖ電源部２５０Ｈ（ＬＶＰＳ２）は主としてモーター等で使用される電源である。
【００４８】
第２の電源部２５０の２４Ｖ電源部２５０Ｈ（ＬＶＰＳ２）及び５Ｖ電源部２５０Ｌ（ＬＶＰＳ１）は、選択的に、画像読取部電源供給部２５８、画像形成部電源供給部２６０、ファクシミリ通信制御回路電源供給部２６４、ＵＩタッチパネル電源供給部２６６に接続されている。
【００４９】
画像読取部電源供給部２５８は、２４Ｖ電源部２５０Ｈ（ＬＶＰＳ２）を入力源として、第２のサブ電源スイッチ２６８（以下、「ＳＷ−２」という場合がある。）を介して、画像読取部２３８に接続されている。
【００５０】
画像形成部電源供給部２６０は、２４Ｖ電源部２５０Ｈ（ＬＶＰＳ２）と５Ｖ電源部２５０Ｌ（ＬＶＰＳ１）を入力源として、第３のサブ電源スイッチ２７０（以下、「ＳＷ−３」という場合がある。）を介して、画像形成部２４０に接続されている。
【００５１】
ファクシミリ通信制御回路電源供給部２６４は、２４Ｖ電源部２５０Ｈ（ＬＶＰＳ２）と５Ｖ電源部２５０Ｌ（ＬＶＰＳ１）を入力源として、第４のサブ電源スイッチ２７４（以下、「ＳＷ−４」という場合がある。）を介して、ファクシミリ通信制御回路２３６及び画像形成部２４０に接続されている。
【００５２】
ＵＩタッチパネル電源供給部２６６は、５Ｖ電源部２５０Ｌ（ＬＶＰＳ１）と２４Ｖ電源部２５０Ｈ（ＬＶＰＳ２）を入力源として、第５のサブ電源スイッチ２７６（以下、「ＳＷ−５」という場合がある。）を介して、ＵＩタッチパネル２１６（バックライト部２１６ＢＬを含む）に接続されている。なお、ＵＩタッチパネル２１６の本来の機能（バックライト部２１６ＢＬを除く機能）へは、節電中監視制御部２４から電源を供給可能としてもよい。
【００５３】
前記第２のサブ電源スイッチ２６８、第３のサブ電源スイッチ２７０、第４のサブ電源スイッチ２７４、第５のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。図示していないが、２４Ｖ電源部２５０Ｈと５Ｖ電源部２５０Ｌが供給されるスイッチや配線は、２系統で構成されている。また電源スイッチ２６８〜２７６は電源装置２０２でなく、電源供給先の各デバイス内に配置されても良い。
【００５４】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００５５】
（画像処理装置の状態遷移のための監視制御）
ここで、本実施の形態のメインコントローラ２００は、必要最小限の電力消費となるように、部分的にその機能を停止させる場合がある。或いは、メインコントローラ２００の大部分を含め、電力の供給を停止させる場合がある。これらを総称して「スリープモード（節電モード）」という場合がある（図５参照）。
【００５６】
スリープモードは、例えば、画像処理が終了した時点でシステムタイマを起動させることで移行可能である。すなわち、前記システムタイマが起動してから所定時間経過することで電力供給を停止させている。なお、所定時間が経過するまでに、何らかの操作（ハードキーの操作等）があれば、当然、スリープモードへのタイマカウントは中止され、次の画像処理終了時からシステムタイマが起動される。
【００５７】
一方、上記スリープモード中において、常に電力の供給を受ける素子として、節電中監視制御部２４がＩ／Ｏ２１０に接続されている。この節電中監視制御部２４は、例えば、ＡＳＩＣと称される、自身で動作プログラムが格納され、当該動作プログラムで処理されるＣＰＵ，ＲＡＭ，ＲＯＭ等を備えたＩＣチップ等で構成することができる。
【００５８】
ところで、前記節電中の監視において、例えば、通信回線検出部からプリント要求などが来たり、ＦＡＸ回線検出部からＦＡＸ受信要求が来ることで、スリープ中（節電中）であったデバイスに対して、節電中監視制御部２４では、電源供給制御回路２５２を介して、第１のサブ電源スイッチ２５６、第２のサブ電源スイッチ２６８、第３のサブ電源スイッチ２７０、第４のサブ電源スイッチ２７４、第５のサブ電源スイッチ２７６を制御することで、電力を供給を行なうことが前提である。
【００５９】
また、メインコントローラ２００のＩ／Ｏ２１０には、節電制御ボタン２６（単に、「節電ボタン２６」という場合がある。）が接続されており、節電中に使用者がこの節電制御ボタン２６を操作することで、節電が解除可能となっている。なお、この節電制御ボタン２６には、処理部に電力が供給されているときに操作されることで、当該処理部の電力供給を強制的に遮断し、節電状態にする機能を併せ持つ。
【００６０】
ここで、スリープモードで監視するためには、節電中監視制御部２４以外に、節電制御ボタン２６や各検出部には節電中に必要最小限の電力を供給しておくことが好ましい。すなわち、電力非供給状態であるスリープモードであっても、予め定めた電力以下（例えば、０．５Ｗ以下）であり電力供給を行うか否かの判別制御に必要な電力の供給を受ける場合がある。
【００６１】
なお、スリープモードの特定の期間として、メインコントローラ２００、ＵＩタッチパネル２１６やＩＣカードリーダー２１７等の入力系を主体とした必要最小限の電力供給を供給する期間を設けてもよい。これは、使用者への利便性を考慮したものである。なお、この場合、ＵＩタッチパネル２１６では、少しでも省エネ性を確保するため、バックライト部２１６ＢＬを消灯する、或いは照度を通常よりも減らすことが好ましい。
【００６２】
上記特定の期間を、例えば、図５では仮称として、アウェイクモード（ａｗｋ）として区別したが、特に、このモードは必須ではない。
【００６３】
ところで、スリープモード時に使用者が画像処理装置１０の前に立ち、その後に節電制御ボタン２６を操作して、電力供給を再開した場合、画像処理装置１０が立ち上がるまでに時間を要する場合があった。
【００６４】
そこで、前記節電中監視制御部２４に、第１の人感センサ２８、第２の人感センサ３０を設置すると共に、スリープモードでは、使用者が節電解除ボタンを押す前に人感センサで検知して早期に電力供給を再開して、使用者が早く使えるようにした。なお、節電制御ボタン２６と第１の人感センサ２８、第２の人感センサ３０とを併用しているが、第１の人感センサ２８、第２の人感センサ３０のみで全ての監視を行うことも可能である。
【００６５】
図４に示される如く、第１の人感センサ２８、第２の人感センサ３０は、検出部２８Ａ、３０Ａと回路基板部２８Ｂ、３０Ｂとを備えており、回路基板部２８Ｂ，３０Ｂは、検出部２８Ａ、３０Ａで検出した信号の感度を調整したり、出力信号を生成する。
【００６６】
なお、第１の人感センサ２８、第２の人感センサ３０は、「人感」としているが、これは、本実施の形態に則した固有名詞であり、少なくとも人が感知（検出）できればよく、言い換えれば、人以外の移動体の感知（検出）も含むものである。従って、以下において、人感センサの検出対象を「人」に言及する場合があるが、将来的には、人に代わって実行するロボット等も感知対象範囲である。なお、逆に、人と特定して感知できる特殊センサが存在する場合は、当該特殊センサを適用可能である。以下では、移動体、人、使用者等は、第１の人感センサ２８、第２の人感センサ３０が検出する対象として同義として扱い、必要に応じて区別することとする。
【００６７】
第１の人感センサ２８の仕様は、画像処理装置１０の周囲（例えば、１ｍ〜５ｍの範囲）において、移動体の動きを検出するものである。この場合、焦電素子の焦電効果を用いた赤外線センサ等が代表的である（焦電型センサ）。本実施の形態では、第１の人感センサ２８として焦電型センサを適用している。
【００６８】
一方、第２の人感センサ３０の仕様は、移動体の有無（存在・不存在）を検出するものが適用されている。この第２の人感センサ３０に適用されるセンサは、投光部と受光部とを備えた反射型センサ等が代表的である（反射型センサ）。なお、投光部と受光部とが分離された形態であってもよい。
【００６９】
第１の人感センサ２８と第２の人感センサ３０により、最大検出範囲（例えば、図６の第１の領域Ｆと第２の領域Ｎ）を設定した。
【００７０】
相対的に遠い検出領域である図６の第１の領域Ｆ（単に、「領域Ｆ」という場合がある）は、第１の人感センサ２８による検出領域であり、遠隔移動体検出手段としての機能を有する。また、相対的に近い検出領域である図６の第２の領域Ｎ（単に、「領域Ｎ」という場合がある）は、第２の人感センサ３０による検出領域であり、近接移動体検出手段としての機能を有する。
【００７１】
第１の人感センサ２８の検出領域（図６の第１の領域Ｆ参照）は、画像処理装置１０が設置されている場所の環境にもよるが、目安として２〜３ｍ程度である。一方、第２の人感センサ３０の検出領域（図６の第２の領域Ｎ)参照）は、画像処理装置１０のＵＩタッチパネル２１６やハードキーの操作が可能な範囲であり、目安として０〜０．５ｍ程度である。
（電源切替制御）
ところで、この人感センサ２８、３０による監視制御、並びに通信回線検出部からプリント要求、ＦＡＸ回線検出部からＦＡＸ受信要求に対応する監視制御が行われるということは、電力が消費されることになる。一方、「スリープモード」での電力消費は必要最小限、好ましくは消費電力０であることが好ましい。そこで、本実施の形態では、スリープモード中は、商用電源２４２からの電力を受けず、文字通りスリープモード状態「消費電力０」とするべく、前記電源選択部２４７において、第２接点端子２４７Ｂ（図３参照）に切り替え、蓄電部２４１からの電力で動作させるようにした。
【００７２】
すなわち、図５に示すモード遷移において、スタンバイモードからスリープモードへ遷移するときの立ち下げトリガにより、メインコントローラ２００の節電中監視制御部２４からの信号で、電源選択部２４７の接点を第２の接点２４７Ｂに切り替えるようにした。
【００７３】
第１の人感センサ２８と第２の人感センサ３０を用いた電力復帰制御としては、例えば、スリープモード中は、第１の人感センサ２８のみに電力を供給し、第１の人感センサ２８で移動体（使用者等）を検出した場合に第２の人感センサ３０に電力を供給し、前記移動体が装置に近づいたことを確認した上で、商用電源２４２に切り替え、かつメインコントローラを起動させるといったことが最適である。
【００７４】
これに対して、画像処理装置１０の外部からの要求、すなわち、前記ＰＣ２１（図１参照）から画像形成指示（以下、「プリント指示」という場合がある）を要求するような場合、ＰＣ２１を操作する操作者は、予めＰＣにインストールされたプリンタドライバ制御プログラムの設定画面に従って、プリント指示に関する情報を登録し、画像情報（プリントデータ）と共に、画像処理装置１０へジョブ実行要求を送信する。
【００７５】
このとき、画像処理装置１０がスリープモード中であると、処理の流れとして、まず、電源選択部２４７の接点切替動作によって、蓄電部２４１からの電力供給を商用電源２４２からの電力供給に切り替え、その後、メインコントローラ２００の復帰処理を行うことで、プリント指示情報（紙種、サイズ、字体、プリントデータ等）を受け付けるといった手順となる。
【００７６】
これでは、画像処理装置１０に対して直接操作する場合に比べて、外部から要求は、スリープモードという省エネ対策には優れてる反面、ＰＣ２１からのプリント指示要求に対して迅速な対応がとれず利便性に欠ける場合が生じる。さらに、復帰要求を先に受けた場合、復帰処理までの時間を確保し利便性を確保することはできるが、例えば、ジョブ実行のキャンセルが発生した場合は、省エネ性に欠ける場合が生じる。
【００７７】
そこで、本実施の形態では、プリンタドライバ側では、ジョブ実行要求に含まれるプリント指示等の要求よりも優先する情報として、電源切替要求及び復帰要求を加え、まず、電源切替要求を送出し、その後復帰要求（ジョブ実行要求の最先情報）を送出するようにした。なお、プリンタドライバは、ＰＣ２１にインストールされるプログラムであり、物理的に画像処理装置１０と当該プリンタドライバがインストールされるＰＣ２１とは離間された状態となる。しかし、プリンタドライバは、予め適用される画像処理装置１０の固有のプログラムであり、画像処理装置１０の制御系の一部として機能するものである。
【００７８】
一方、画像処理装置１０のメインコントローラ２００（特に、監視制御部２４及び電源供給制御回路２５２）では、画像処理装置１０がスリープモード（蓄電２４１による動作中）であっても、遅滞なく、かつ誤作動することがない電源切替制御を確立した。
【００７９】
以下に、本実施の形態の作用を説明する。
【００８０】
（画像処理装置１０（デバイス）の電力供給制御のモード遷移）
まず、図５に基づき、画像処理装置１０における、各モード状態と、当該モード状態の移行の契機となる事象を示したタイミングチャートを示す。
【００８１】
画像処理装置１０は、処理がなされていないと動作状態は、スリープモードとなり、本実施の形態では、節電中監視制御部２４にのみ電力が供給されている。また、この場合、商用電源部２４２からの電力を完全に断ち、蓄電部２４１からの電力で動作する。
【００８２】
ここで、立ち上げ契機（立ち上げトリガの検出、或いは節電制御ボタン２６等の操作）があると、動作状態はウォームアップモードへ遷移する。
【００８３】
なお、この立ち上げトリガ契機後は、依然としてスリープモードと定義し、メインコントローラ２００への電力供給を前提としてＵＩタッチパネル２１６のみを起動するようにしてもよいし、或いは、メインコントローラ２００及びＵＩタッチパネル２１６の起動によって、節電中監視制御部２４のみの電力供給よりも電力供給量が増加するので、仮称として、アウェイクモード「ａｗｋ」（目覚めモード）として定義してもよい（図５の遷移図における、スリープモード範囲の括弧［  ］内参照）。このアウェイクモードでＵＩタッチパネル２１６等の操作入力（キー入力）があると、動作状態はウォームアップモードへ遷移する。
【００８４】
前記立ち上げトリガとは、主として、ＰＣ２１等の外部からジョブ実行要求、第２の人感センサ３０（第２の人感センサ３０は、第１の人感センサ２８による移動体検出に基づき起動する）による検出結果に基づく信号や情報等がある。なお、操作者による節電解除操作も立ち上げトリガとしてもよい。また、外部からジョブ実行要求が送信されて立ち上がる場合は、ジョブが確定しているため、スリープモードからウォームアップモードへ直接遷移しても良い。
【００８５】
ウォームアップモードは画像処理装置１０を迅速に処理可能状態にもっていくため、各モードの内最大の電力消費量となるが、例えば、定着部におけるヒータとしてＩＨヒータを利用することによって、ハロゲンランプを用いたヒータよりもウォームアップモード時間は、比較的短い時間とされている。
【００８６】
ウォームアップモードによる暖機運転が終了すると、画像処理装置１０はスタンバイモードに遷移するようになっている。ＰＣ２１から復帰要求があった場合は、少なくともスタンバイモードとすることが好ましい。
【００８７】
スタンバイモードは、文字通り「事に備えて準備が完了している」モードであり、画像処理装置１０においては、画像処理の動作が即実行できる状態となっている。
【００８８】
このため、キー入力としてジョブ実行操作があると、画像処理装置１０の動作状態は、ランニングモードに遷移し、指示されたジョブに基づく画像処理が実行されるようになっている。
【００８９】
画像処理が終了すると（連続した複数のジョブが待機している場合は、その連続したジョブの全てが終了したとき）、待機トリガによって画像処理装置１０の動作状態はスタンバイモードへ遷移する。なお、画像処理後、システムタイマによる計時を開始し、予め定めた時間経過した後に待機トリガを出力し、スタンバイモードへ遷移するようにしてもよい。
【００９０】
このスタンバイモード中にジョブ実行指示があれば、再度ランニングモードへ遷移し、立ち下げトリガの検出がある、或いは予め定めた時間が経過したとき、スリープモードへ遷移するようになっている。
【００９１】
なお、立ち下げトリガとは、節電制御ボタン３６の操作等がある。なお、システムタイマを併用してもよい。
【００９２】
また、画像処理装置１０における実際の動作におけるモード状態の遷移が、全てこのタイミングチャートのとおり時系列で進行するものではない。例えば、ウォームアップモード後のスタンバイモードで処理が中止され、スリープモードへ移行する場合もある。
【００９３】
ここで、電力の供給を受けて動作する各デバイスは、図５におけるスリープモードからアウェイクモード、ウォームアップモードを経てスタンバイモードへ遷移することで、それぞれの処理を即時に実行可能となる。
【００９４】
このように、本実施の形態の画像処理装置１０は、モードの間を相互に遷移しており、各モード毎に電力供給量が異なっている。
【００９５】
本実施の形態の画像処理装置１０では、予め定められた条件（例えば、人感センサ３０による移動体（使用者）立ち去り情報、或いはシステムタイマのタイムアップによる立ち下げトリガ出力）が揃うと、スリープモードへ移行する。このスリープモードでは、ファクシミリ通信制御回路２３６、画像読取部２３８、画像形成部２４０の各デバイスのみならず、節電中監視制御部２４を除くメインコントローラ２００、並びにＵＩタッチパネル２１６に対しても電力供給を遮断する。さらに、電源供給元を商用電源部２４２から蓄電部２４１に切り替え、監視制御部２４のみに電力を供給する。
【００９６】
ここで、本実施の形態では、スリープモード中、すなわち、蓄電部２４１の電力で監視制御部２４のみが動作しているとき、ＰＣ２１からジョブ要求があると、直ちに、電源供給元を商用電源部２４２に切り替え、かつメインコントローラ２００を復帰させ、プリンタ指示情報を受け付ける準備をする必要があり、省エネ性に優れるが、利便性に欠ける場合があった。
【００９７】
一方、仮に、復帰要求を優先して受信した場合でも、その後のジョブ実行のキャンセルがあると、結果として無駄な復帰処理となり、利便性は向上するが、省エネ性に欠ける場合がある。
【００９８】
そこで、本実施の形態では、電源の切替指示を最優先とし、かつその後の復帰要求の受付を時間管理することで、利便性と省エネ性を両立した。
【００９９】
以下、図７及び図８のフローチャートに従い、スリープモード時のＰＣ２１からのジョブ実行要求があったときの電源切替制御並びにメインコントローラ２００の復帰制御について説明する。
【０１００】
図７は、ＰＣ２１におけるプリンタドライバによるジョブ要求指示作成制御手順を示すフローチャートである。
【０１０１】
ステップ３００では、プリンタパラメータを入手する。なお、予め入手しておいたプリンタパラメータを読み出すようにしてもよい。次のステップ３０２では、プリントデータを作成する。プリントデータには、イメージデータの他、プリント枚数、紙種、白黒／カラー、像密度等の情報も含む。
【０１０２】
ステップ３０２でプリントデータの作成が終了すると、ステップ３０４へ移行して、例えば、通信用プロトコル等、相互に情報を共有し合うためのジョブ要求指示用データヘッダを作成する。
【０１０３】
次のステップ３０６では、前記ステップ３０４で作成したデータヘッダに復帰要求を付加して、ステップ３０８へ移行する。この復帰要求は、前記プリンタパラメータから指定する画像処理装置１０がスリープモードを備えている場合に付加される。或いは、プリンタパラメータを入手した時点でスリープモードとなっている場合に付加するようにしてもよい。
【０１０４】
次のステップ３０８では、プリンタドライバを操作している操作者から、ジョブ要求送信の指示があったか否かが判断される。例えば、プリンタドライバ画面における「ＯＫ」ボタンのクリック等がこれに該当する。
【０１０５】
このステップ３０８で否定判定された場合は、ステップ３１０へ移行してキャンセルがあったか否かが判断される。ステップ３１０で否定判定された場合はステップ３０８へ戻り、何れかで肯定判定されるまで、上記ステップ３０８、３１０を繰り返す。
【０１０６】
ステップ３１０で肯定判定されると、ステップ３１６へ移行して、ジョブ要求キャンセル処理を行って、このルーチンは終了する。
【０１０７】
前記ステップ３０８で肯定判定されると、ステップ３１２へ移行して、ネットワーク通信網２０を介して、前記ジョブ要求指示に先立って、画像処理装置１０へ電源切替要求を送信する。
【０１０８】
次のステップ３１４では、キャンセルがあったか否かが判断され、肯定判定されると、ステップ３１６へ移行して、ジョブ要求キャンセル処理を行って、このルーチンは終了する。
【０１０９】
また、ステップ３１４で否定判定されると、ステップ３１８へ移行して、一定時間経過したか否かが判断され、否定判定された場合はステップ３１４へ戻る。
【０１１０】
また、ステップ３１８で肯定判定されると、ステップ３２０へ移行して、ネットワーク通信網２０を介して、前記ジョブ要求指示に先立って、画像処理装置１０へ復帰要求を送信する。
【０１１１】
次いで、ステップ３２２では、ネットワーク通信網２０を介して、前記ジョブ要求指示を送信する。
【０１１２】
図８は、画像処理装置１０において、スリープモード時のジョブ実行要求監視制御を示すフローチャートである。なお、このフローチャートのスリープモードからの復帰は、ＰＣ２１のジョブ実行要求に特化して説明しており、前述した節電制御ボタン３６の操作は、第１の人感センサ２８及び第２の人感センサ３０の連携によるスリープモードからの復帰については、別制御によって実行されるものとし、説明を省略した。
【０１１３】
ステップ３５０では、ＰＣ２１から受信したか否かが判断され、否定判定された場合はこのルーチンは終了する。
【０１１４】
また、ステップ３５０で肯定判定されると、ステップ３５２へ移行して情報を判別する。
【０１１５】
次のステップ３５４では、前記ステップ３５２で判別した情報の内、最先の要求情報が電源切替要求か復帰要求かを判別する。
【０１１６】
このステップ３５４で復帰要求であった場合は、ステップ３５６へ移行する。これは、例えば、プリンタドライバのバージョンアップがなされていない、或いは汎用性のあるプリンタドライバであり電源切替の要素が組み込まれていない等、商用電源部２４２以外に蓄電部２４１を搭載していない従前のプリンタドライバが使用された場合に、当該プリンタドライバを拒否せず、対応するために実行される処理である。
【０１１７】
すなわち、ステップ３５６では、復帰要求に基づき、電源供給元を、蓄電部２４１から商用電源部２４２に切替指示を行い、次いで、ステップ３５８へ移行して、電力が安定したか否かが判断され、このステップ３５８で肯定判定されると、ステップ３７２へ移行して、メインコントローラ２００の復帰指示を行い、このルーチンは終了する。
【０１１８】
一方、ステップ３５４において、最先の要求情報が電源切替要求と判別された場合は、ステップ３６０へ移行する。
【０１１９】
ステップ３６０では、電源供給元を、蓄電部２４１から商用電源部２４２に切替指示を行い、次いで、ステップ３６２へ移行して、復帰処理用のタイマをリセット・スタートさせて、ステップ３６４へ移行する。
【０１２０】
ステップ３６４では、電力が安定したか否かが判断され、肯定判定されると、ステップ３６６へ移行してタイマが予め定めた時間になったか否かが判断される。
【０１２１】
このステップ３６６で肯定判定されると、電源切替要求後に受信するべき復帰要求が受信されず、ジョブ要求自体がキャンセルされたと判断し、ステップ３６８へ移行して、電源供給元を、商用電源部２４２から蓄電部２４１に切替指示を行い、このルーチンは終了する。これにより、メインコントローラ２００の無駄は復帰処理が回避される。
【０１２２】
また、ステップ３６６で否定判定された場合は、ステップ３７０へ移行して、ジョブ実行要求（復帰要求）があったか否かが判断され、否定判定された場合は、ステップ３６６へ戻る。
【０１２３】
一方、ステップ３７０で肯定判定されると、ステップ３７２へ移行して、メインコントローラ２００の復帰指示を行い、このルーチンは終了する。
【０１２４】
すなわち、ジョブ要求の際、まず、電源切替要求によって、電源供給元を蓄電部２４１から商用電源部２４２に切り替え、その後、一定時間内に、復帰要求があった場合に限り、メインコントローラ２００を復帰させる処理を行うようにした。このため、電源切替処理のために時間をとられることなく、メインコントローラ２００の復帰が迅速に行われる。一方で、ジョブ要求のキャンセル等があった場合には、メインコントローラ２００の復帰が回避される。これにより、省エネ性と利便性とを両立することが可能となる。
【０１２５】
なお、本実施の形態における蓄電部１４１は、所謂放電と呼ばれる化学エネルギーを電気エネルギーに一方向に変換することが、一度だけ可能な一次電池（マンガン電池、アルカリマンガン電池、ニッケル系一次電池、オキシライド乾電池、酸化銀電池、水銀電池、リチウム電池等）に限られるものではない。
【０１２６】
すなわち、蓄電部２４１は、充電を行うことにより電気を蓄えて電池として使用可能であり、繰り返し使用可能な二次電池（鉛蓄電池、リチウムイオン二次電池、リチウムイオンポリマー二次電池、ニッケル・水素電池、ニッケル・カドミウム電池等）であってもよい。
【０１２７】
また、充電には、太陽エネルギーを用いたソーラーシステムや、画像処理装置１０内から放出されるエネルギーを回収して電気エネルギーに変換する回生エネルギーシステムを適用してもよく、これらを複合的に利用してもよい。回生エネルギーとしては、画像形成部２４０の定着部（Ｆｕｓｅｒ）からの余熱を利用したり、用紙搬送系のローラの駆動を利用することが可能である。
【０１２８】
さらには、商用電源２４２が適用されている間の、例えば電気代が安い時間帯等に充電しておいてもよい。この場合、スリープモード時の電力消費を見掛け上「電力０」とすることが可能である。なお、これは、ピーク時電力を軽減する（電力消費の振幅を小さくする）効果もある。
（変形例）
なお、上記実施の形態における図７で示したＰＣ側プリンタドライバによるジョブ要求指示作成制御ルーチンにおいて、当該図７では、まず、最初に、ステップ３００でプリンタパラメータを入手し、ステップ３０２でプリントデータを作成した後、ステップ３０４へ移行してジョブ要求指示用データヘッダを作成する流れとしたが、この図７のステップ３００、３０２は、ステップ３１２のネットワーク通信回線網を介して画像処理装置へ電源切替要求を送信した後に実行するようにしてもよい。この流れを、図９に示した。この図９では、ステップ番号と処理内容とを図７と同一とし、末尾に記号Ａを付して区別した。この図９の処理の流れでは、プリンタパラメータの入手及びプリントデータの作成のための時間を稼ぐことが可能となる。
【符号の説明】
【０１２９】
Ｗ    壁面
１０    画像処理装置
２０    ネットワーク通信回線網
２１    ＰＣ
２２    電話回線網
２４    節電中監視制御部
２６    節電制御ボタン
２８    第１の人感センサ
３０    第２の人感センサ
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１７    ＩＣカードリーダー
２１８    ハードディスク
２２０    タイマ回路
２２２    通信回線Ｉ／Ｆ
２３６    ファクシミリ通信制御回路
２３８    画像読取部
２４０    画像形成部
２４１    蓄電部
２４２    商用電源部
２４３    配線プレート
２４４    入力電源線
２４５    コンセント
２４６    メインスイッチ
２４８    第１の電源部
２５０    第２の電源部
２４８Ａ    制御用電源生成部
２５２    電源供給制御回路
２５４    電源線
２５６    第１のサブ電源スイッチ（「ＳＷ−１」）
２５０Ｈ    ２４Ｖ電源部（ＬＶＰＳ２）
２５０Ｌ    ５Ｖ電源部（ＬＶＰＳ１）
２５８    画像読取部電源供給部
２６０    画像形成部電源供給部
２６６    ファクシミリ通信制御回路電源供給部
２６８    第２のサブ電源スイッチ（「ＳＷ−２」）
２７０    第３のサブ電源スイッチ（「ＳＷ−３」）
２７４    第４のサブ電源スイッチ（「ＳＷ−４」）
２７６    第５のサブ電源スイッチ（「ＳＷ−５」） 
【図１】
0005870746.tif 000002
【図２】
0005870746.tif 000003
【図３】
0005870746.tif 000004
【図４】
0005870746.tif 000005
【図５】
0005870746.tif 000006
【図６】
0005870746.tif 000007
【図７】
0005870746.tif 000008
【図８】
0005870746.tif 000009
【図９】
0005870746.tif 000010